(57)【要約】【課題】外部機器の不要な電力消費を抑制することができる画像表示装置、電力供給制御方法および電力供給制御プログラムを提供する。【解決手段】画像表示手段３１と、装置全体を制御する制御手段３２と、これらに電力を供給する電力供給手段３５と、接続される外部機器５，６に対して電力供給手段３５を介して電力を供給するコンセント３６，３７と、外部機器５，６と通信可能なインターフェース３３２，３３３とを備えた画像表示装置２であって、制御手段３２は、インターフェース３３２，３３３を介して外部機器５，６の動作制御を行う動作制御部と、外部機器５，６の動作状態を監視する動作状態監視部と、動作状態監視部により、外部機器５，６の動作終了が検出されると、電力供給手段を介して行われる外部機器５，６への電力供給を規制する外部電力供給制御部３２２４とを備える。【選択図】  図２
2006227700.tif 000002
【特許請求の範囲】
【請求項１】
入力される画像情報に応じた画像を表示する画像表示手段と、装置全体を制御する制御手段と、これらに電力を供給する電力供給手段と、接続される外部機器に対して前記電力供給手段を介して電力を供給するコンセントと、前記外部機器と通信可能なインターフェースとを備えた画像表示装置であって、
前記制御手段は、
前記インターフェースを介して前記外部機器の動作制御を行う動作制御部と、
前記外部機器の動作状態を監視する動作状態監視部と、
前記動作状態監視部により、前記外部機器の動作終了が検出されると、前記電力供給手段を介して行われる前記外部機器への電力供給を規制する外部電力供給制御部とを備えることを特徴とする画像表示装置。
【請求項２】
請求項１に記載の画像表示装置において、
前記外部機器は、前記動作制御部から前記インターフェースを介して出力される印刷実行命令に基づいて印刷を行う印刷装置であることを特徴とする画像表示装置。
【請求項３】
請求項２に記載の画像表示装置において、
前記印刷装置は、前記印刷実行命令による印刷が終了すると、前記動作制御部に対して印刷が終了した旨の終了応答信号を出力し、
前記外部電力供給制御部は、前記終了応答信号を検出すると、前記電力供給手段を介して行われる前記印刷装置への電力供給を規制することを特徴とする画像表示装置。
【請求項４】
請求項２または請求項３に記載の画像表示装置において、
前記動作制御部は、前記外部電力供給制御部による電力供給規制に先駆けて、前記印刷装置の電源をオフさせる電源停止信号を出力することを特徴とする画像表示装置。
【請求項５】
入力される画像情報に応じた画像を表示する画像表示手段と、装置全体を制御する制御手段と、これらに電力を供給する電源供給手段と、接続される機器に対して前記電力供給手段を介して電力を供給するコンセントと、前記機器と通信可能なインターフェースとを備えた画像表示装置、並びに、前記コンセント及び前記インターフェースに接続される外部機器を備えた画像表示システムに用いられ、前記外部機器への電力供給を制御する電力供給制御方法であって、
前記制御手段に、
前記インターフェースを介して前記外部機器の動作制御を行う動作制御ステップと、
前記外部機器の動作状態を監視する動作状態監視ステップと、
前記外部機器の動作終了が検出されると、前記電力供給手段を介して行われる前記外部機器への電力供給を規制する外部電力供給制御ステップとを実行させることを特徴とする電力供給制御方法。
【請求項６】
入力される画像情報に応じた画像を表示する画像表示手段と、装置全体を制御する制御手段と、これらに電力を供給する電源供給手段と、接続される機器に対して前記電力供給手段を介して電力を供給するコンセントと、前記機器と通信可能なインターフェースとを備えた画像表示装置、並びに、前記コンセント及び前記インターフェースに接続される外部機器を備えた画像表示システムに用いられ、前記外部機器への電力供給を制御するために、前記制御手段上で実行可能な電力供給制御プログラムであって、
前記制御手段に、
前記インターフェースを介して前記外部機器の動作制御を行う動作制御ステップと、
前記外部機器の動作状態を監視する動作状態監視ステップと、
前記外部機器の動作終了が検出されると、前記電力供給手段を介して行われる前記外部機器への電力供給を規制する外部電力供給制御ステップとを実行させることを特徴とする電力供給制御プログラム。
【発明の詳細な説明】
【技術分野】
【０００１】
本発明は、接続される外部機器に対して電力を供給するコンセントと、前記外部機器と通信可能なインターフェースとを備えた画像表示装置、当該画像表示装置に接続された外部機器への電力供給を制御する電力供給制御方法、および、電力供給制御プログラムに関する。
【背景技術】
【０００２】
従来、入力される画像情報に応じた画像を表示する画像表示手段と、装置全体を制御する制御手段と、これらに駆動電力を供給する電力供給手段とを備えた画像表示装置が知られている。このような画像表示装置として、例えば、テレビ受像機、パーソナルコンピュータ（Personal Computer）のディスプレイおよびプロジェクタ等が挙げられる。
また、近年、外部機器が接続可能に構成され、当該外部機器に所定の処理を実行させる画像表示装置が普及しつつある。
【０００３】
ところで、画像表示装置に複数の外部機器を接続する場合、当該外部機器に駆動電力を供給するコンセントが不足する可能性がある。このような可能性を考慮して、画像表示装置に、外部電源から供給された電力の一部を外部機器に供給するサービスコンセントを設ける構成が考えられる。これにより、外部機器接続時のコンセント不足を解消することができる。
【０００４】
一方、画像表示装置に外部機器を接続しているものの、当該外部機器を利用していないような場合には、外部機器の電源がオフされていても常に所定の電力が供給されることとなり、消費電力が大きくなるという問題がある。これに対して、使用時間を制限して、外部機器の消費電力を低減する電源制御装置が知られている（例えば、特許文献１参照）。
この特許文献１に記載の電源制御装置は、サービスコンセント（ＡＣコンセント）とタイマーとを備え、タイマーによって設定された時間だけサービスコンセントに電力が供給される構成とされている。これにより、当該サービスコンセントに接続された機器の使用時間を制限して、無駄な電力の消費を抑えることができる。
【０００５】
【特許文献１】特開平８−２３３９６３号公報
【発明の開示】
【発明が解決しようとする課題】
【０００６】
しかしながら、特許文献１に記載の電源制御装置では、サービスコンセントに接続された機器の使用時間を制限することは可能であるが、当該機器の動作状態に応じた電力供給制御を行うことができないという問題がある。
すなわち、サービスコンセントに接続された機器が動作中であっても、制限された使用時間を過ぎてしまうと、機器に対する電力供給が停止されてしまうので、機器による動作を完結できずに当該機器が利用できなくなってしまうという問題がある。
一方、従来の電源連動型のサービスコンセントを画像表示装置に設けた場合では、画像表示装置の電源がオフされてしまうと、サービスコンセントに接続された外部機器への電力供給が停止されてしまうので、外部機器での動作が完了しないという問題がある。
他方、従来の電源非連動型のサービスコンセントを画像表示装置に設けた場合では、サービスコンセントに接続された外部機器での動作が完了した後でも、当該外部機器への電力供給が停止されないので、外部機器への電力供給が継続してしまい、当該外部機器により不要な電力消費が行われてしまうという問題がある。
これらの問題から、外部機器の不要な電力消費を抑えることができる電子機器が要望されてきた。
【０００７】
本発明の目的は、接続された外部機器の不要な電力消費を抑制することができる画像表示装置、電力供給制御方法および電力供給制御プログラムを提供することである。
【課題を解決するための手段】
【０００８】
前記した目的を達するために、本発明の画像表示装置は、入力される画像情報に応じた画像を表示する画像表示手段と、装置全体を制御する制御手段と、これらに電力を供給する電力供給手段と、接続される外部機器に対して前記電力供給手段を介して電力を供給するコンセントと、前記外部機器と通信可能なインターフェースとを備えた画像表示装置であって、前記制御手段は、前記インターフェースを介して前記外部機器の動作制御を行う動作制御部と、前記外部機器の動作状態を監視する動作状態監視部と、前記動作状態監視部により、前記外部機器の動作終了が検出されると、前記電力供給手段を介して行われる前記外部機器への電力供給を規制する外部電力供給制御部とを備えることを特徴とする。
【０００９】
本発明によれば、画像表示装置を構成する制御手段の動作制御部が、当該画像表示装置に設けられたコンセントおよびインターフェースに接続された外部機器の動作制御を行い、動作状態監視部が、外部機器の動作状態を監視する。また、外部電力供給制御部は、動作状態監視部により外部機器の動作終了が検出されると、前記電力供給手段を介して行われる外部機器に対する電力供給を規制する。
これによれば、動作状態監視部により、画像表示装置に接続される外部機器の動作終了が検出されると、外部電力供給制御部により、外部機器への電力供給が規制されるので、当該外部機器による不要な電力消費を抑制することができる。
また、このような電力供給規制は、画像表示装置の電源のオン／オフ状態によらずに行われるため、画像表示装置の電源がオフされた場合でも、外部機器の動作が終了するまで、当該外部機器に確実に電力供給を行うことができる。
従って、外部機器による不要な電力消費を抑えることができるとともに、当該外部機器の動作を確実に終了でき、外部機器の動作状態に応じた電力供給制御を実現することができる。
【００１０】
本発明では、前記外部機器は、前記動作制御部から前記インターフェースを介して出力される印刷実行命令に基づいて印刷を行う印刷装置であることが好ましい。
このような場合、前記印刷装置は、前記印刷実行命令による印刷が終了すると、前記動作制御部に対して印刷が終了した旨の終了応答信号を出力し、前記外部電力供給制御部は、前記終了応答信号を検出すると、前記電力供給手段を介して行われる前記印刷装置への電力供給を規制することが好ましい。
【００１１】
本発明によれば、外部機器として採用された印刷装置による印刷動作が終了すると、当該印刷装置から終了応答信号が画像表示装置に出力され、当該終了応答信号を検出した画像表示装置の外部電力供給制御部は、印刷装置に対する電力供給を規制する。これによれば、画像表示装置は、印刷装置からの終了応答信号に応じて、当該印刷装置での印刷動作の終了を正確に検出することができ、印刷装置の印刷動作が確実に終了した後に、電力供給を規制することができる。従って、印刷動作が中断されることなく、確実に印刷が終了した後に、電力供給を規制することができる。
【００１２】
本発明では、前記動作制御部は、前記外部電力供給制御部による電力供給規制に先駆けて、前記印刷装置の電源をオフさせる電源停止信号を出力することが好ましい。
本発明によれば、画像表示装置を構成する制御手段の動作制御部が、外部電力供給制御部による印刷機器に対する電力供給規制が行われる前に、当該印刷装置の電源をオフさせる。これによれば、印刷装置に対する電力供給が停止される前に、印刷装置の電源をオフすることができるので、安全に印刷装置を終了することができる。
ここで、印刷装置の印刷動作を安全に終了する場合には、電力供給を停止する前にプリンタヘッダを安全位置まで移動させる必要がある。これに対し、外部電力供給制御部による電力供給規制が行われる前に、動作制御部が印刷装置の電源をオフするので、その際に、当該印刷装置の終了処理を実行することができる。従って、印刷装置を安全に終了することができる。
【００１３】
また、本発明の電力供給制御方法は、入力される画像情報に応じた画像を表示する画像表示手段と、装置全体を制御する制御手段と、これらに電力を供給する電源供給手段と、接続される機器に対して前記電力供給手段を介して電力を供給するコンセントと、前記機器と通信可能なインターフェースとを備えた画像表示装置、並びに、前記コンセント及び前記インターフェースに接続される外部機器を備えた画像表示システムに用いられ、前記外部機器への電力供給を制御する電力供給制御方法であって、前記制御手段に、前記インターフェースを介して前記外部機器の動作制御を行う動作制御ステップと、前記外部機器の動作状態を監視する動作状態監視ステップと、前記外部機器の動作終了が検出されると、前記電力供給手段を介して行われる前記外部機器への電力供給を規制する外部電力供給制御ステップとを実行させることを特徴とする。
【００１４】
本発明によれば、前述の画像表示装置と同様の効果を奏することができる。
すなわち、画像表示装置と、当該画像表示装置に設けられたコンセントおよびインターフェースを介して接続される外部機器とを備えて構成される画像表示システムで、動作制御ステップによって制御される外部機器の動作の終了が、動作状態監視ステップにより検出されると、外部電力供給制御ステップにより、外部機器への電力供給が規制される。
これによれば、外部機器での動作終了とともに、当該外部機器に対する電力供給が規制されるので、外部機器の不要な電力消費を抑制することができる。
また、外部機器への電力供給の規制が、画像表示装置の電源のオン／オフ状態によらずに行われるため、当該電力供給は、外部機器の処理が終了した後に規制されるので、画像表示装置の電源がオフされた場合でも、確実に外部機器における動作を終了することができる。
従って、外部機器により消費される電力量を低減できるほか、当該外部機器における動作を確実に終了することができる。
【００１５】
また、本発明の電力供給規制プログラムは、入力される画像情報に応じた画像を表示する画像表示手段と、装置全体を制御する制御手段と、これらに電力を供給する電源供給手段と、接続される機器に対して前記電力供給手段を介して電力を供給するコンセントと、前記機器と通信可能なインターフェースとを備えた画像表示装置、並びに、前記コンセント及び前記インターフェースに接続される外部機器を備えた画像表示システムに用いられ、前記外部機器への電力供給を制御するために、前記制御手段上で実行可能な電力供給制御プログラムであって、前記制御手段に、前記インターフェースを介して前記外部機器の動作制御を行う動作制御ステップと、前記外部機器の動作状態を監視する動作状態監視ステップと、前記外部機器の動作終了が検出されると、前記電力供給手段を介して行われる前記外部機器への電力供給を規制する外部電力供給制御ステップとを実行させることを特徴とする。
【００１６】
本発明によれば、前述の画像表示装置および電力供給規制方法と同様の効果を奏することができる。
すなわち、画像表示装置の制御手段で実行される電力供給制御プログラムの動作制御ステップで制御される外部機器の動作の終了が、動作状態監視ステップで検出されると、外部電力供給制御ステップで、画像表示装置から外部機器への電力供給が規制される。これによれば、外部機器における動作終了とともに、当該外部機器への電力供給を規制することができる。従って、外部機器の不要な電力消費を抑えることができるとともに、当該外部機器での処理を、確実に終了することができる。
また、前述のような外部機器への電力供給規制が、画像表示装置の電源のオン／オフ状態によらずに行われるため、画像表示装置の電源がオフされた際にも、外部機器の動作終了とともに電力供給を規制することとなるので、外部機器の動作状態に応じた電力供給を可能とすることができる。
【発明を実施するための最良の形態】
【００１７】
以下、本発明の一実施形態を図面に基づいて説明する。
（１）システム構成
図１は、本発明の画像表示システムとしてのテレビ受像システム１の構成を示す模式図である。
本実施形態のテレビ受像システム１は、図１に示すように、テレビ受像機２と、当該テレビ受像機２に接続される印刷装置としてのプリンタ５および光学ドライブ６とを備えて構成される。
テレビ受像機２は、放送信号を受信して、当該放送信号に含まれる画像情報に基づく画像を表示するとともに、当該放送信号に含まれる音声信号に基づく音声を出力する受像機本体３と、当該受像機本体３を遠隔操作するリモートコントローラ４とを備えている。
このうち、リモートコントローラ４には、詳しい図示を省略するが、テレビ放送の受信時にチャンネル切替を行うチャンネル切替キー、ビデオ入力等の入力切替を行う入力切替キー、音量の調節を行う音量調節キー、および、電源のオン／オフを切り替える電源キー等が設けられており、当該キーの入力に応じた制御信号を赤外線にて受像機本体３に送信する構成とされている。なお、本実施形態は、リモートコントローラ４から赤外線によって制御信号を送信する構成としたが、他の形式によって行うようにしてもよい。
【００１８】
また、プリンタ５および光学ドライブ６は、詳しくは後述するが、受像機本体３に設けられた外部インターフェース３３２，３３３（図２）に接続されるとともに、当該受像機本体３に設けられたサービスコンセント３６，３７（図２）に接続される。すなわち、プリンタ５および光学ドライブ６は、受像機本体３から電力の供給を受ける構成とされている。
【００１９】
（２）内部構成
図２は、受像機本体３の内部構成を示すブロック図である。
受像機本体３は、前述のように、放送信号に応じた画像および音声を出力するように構成されており、本実施形態では、プロジェクションテレビとして構成されている。すなわち、受像機本体３は、図２に示すように、光学ユニット３１と、装置全体を制御する制御基板３２と、インターフェース（ＩＦ）基板３３と、スピーカ３４と、電源ブロック３５と、第１サービスコンセント（ＳＣ）３６および第２サービスコンセント（ＳＣ）３７とを備えて構成され、光学ユニット３１で形成された画像は、画像表示手段としてのスクリーン３８（図１参照）に投影されて表示される。
【００２０】
このうち、スピーカ３４は、後述する制御基板３２の信号処理系３２１に設けられた音声信号処理部３２１３に電気的に接続され、当該音声信号処理部３２１３から出力される音声信号に応じた音声を出力する。
また、第１サービスコンセント３６および第２サービスコンセント３７は、受像機本体３に設けられたコンセントであり、後述する電源ブロック３５の第１サービスコンセント（ＳＣ）用電源部３５５および第２サービスコンセント（ＳＣ）用電源部３５６から、電力の供給を受ける。
【００２１】
（2-1）光学ユニット３１の構成
図３は、光学ユニット３１の光学系を示す模式図である。
光学ユニット３１は、光源から射出された光束を光学的に処理して画像情報に対応した光学像を形成し、この光学像を拡大投射するユニットである。この光学ユニット３１は、図３に示すように、インテグレータ照明光学系３１１と、色分離光学系３１２と、リレー光学系３１３と、電気光学装置３１４と、投射光学装置としての投射レンズ３１６と、光学部品用筐体３１７とを備えて構成されている。
【００２２】
インテグレータ照明光学系３１１は、電気光学装置３１４を構成する後述する３つの光変調装置の画像形成領域をほぼ均一に照明するための光学系である。このインテグレータ照明光学系３１１は、光源装置３１１１と、第１レンズアレイ３１１２と、第２レンズアレイ３１１３と、偏光変換素子３１１４と、重畳レンズ３１１５とを備える。
光源装置３１１１は、放射光源としての光源ランプ３１１６と、リフレクタ３１１７とを備え、光源ランプ３１１６から射出された放射状の光線をリフレクタ３１１７で反射して平行光線とし、この平行光線を外部へと射出する。
なお、本実施形態では、光源ランプ３１１６として、高圧水銀ランプを採用しているが、メタルハライドランプやハロゲンランプ等を採用することも可能である。また、リフレクタ３１１７としては、放物面鏡を採用しているが、平行化凹レンズおよび楕円面鏡を組み合わせたものを採用してもよい。
【００２３】
第１レンズアレイ３１１２は、光軸方向から見てほぼ矩形状の輪郭を有する小レンズがマトリクス状に配列された構成を有し、各小レンズは、光源ランプ３１１６から射出された光束を複数の部分光束に分割している。
第２レンズアレイ３１１３は、第１レンズアレイ３１１２と略同様な構成を有しており、小レンズがマトリクス状に配列された構成を有している。この第２レンズアレイ３１１３は、重畳レンズ３１１５とともに、第１レンズアレイ３１１２の各小レンズの像を後述する光変調装置上に結像させる機能を有する。
【００２４】
偏光変換素子３１１４は、第２レンズアレイ３１１３と重畳レンズ３１１５との間に配置される。このような偏光変換素子３１１４は、第２レンズアレイ３１１３からの光を略１種類の直線偏光に変換するものであり、これにより、電気光学装置３１４での光の利用効率が高められている。
具体的に、偏光変換素子３１１４によって略１種類の直線偏光に変換された各部分光束は、重畳レンズ３１１５によって最終的に電気光学装置３１４の後述する光変調装置上にほぼ重畳される。偏光光を変調するタイプの光変調装置では、１種類の直線偏光しか利用できないため、他種類のランダムな偏光光を発する光源ランプ３１１６からの光のほぼ半分が利用されない。このため、偏光変換素子３１１４を用いることにより、光源ランプ３１１６から射出された光束を略１種類の直線偏光に変換し、電気光学装置３１４での光の利用効率を高めている。なお、このような偏光変換素子３１１４は、例えば特開平８−３０４７３９号公報に紹介されている。
【００２５】
色分離光学系３１２は、２枚のダイクロイックミラー３１２１，３１２２と、反射ミラー３１２３とを備え、ダイクロイックミラー３１２１，３１２２によりインテグレータ照明光学系３１１から射出された複数の部分光束を赤（Ｒ）、緑（Ｇ）、青（Ｂ）の３色の色光に分離する機能を有している。
リレー光学系３１３は、入射側レンズ３１３１と、リレーレンズ３１３３と、反射ミラー３１３２，３１３４とを備え、色分離光学系３１２で分離された色光である赤色光を電気光学装置３１４の後述する赤色光用の光変調装置まで導く機能を有している。
【００２６】
この際、色分離光学系３１２のダイクロイックミラー３１２１では、インテグレータ照明光学系３１１から射出された光束の赤色光成分と緑色光成分とが透過するとともに、青色光成分が反射する。ダイクロイックミラー３１２１によって反射した青色光は、反射ミラー３１２３で反射し、フィールドレンズ３１１８を通って、電気光学装置３１４の後述する青色光用の光変調装置に到達する。このフィールドレンズ３１１８は、第２レンズアレイ３１１３から射出された各部分光束をその中心軸（主光線）に対して平行な光束に変換する。他の緑色光用、赤色光用の光変調装置の光束入射側に設けられたフィールドレンズ３１１８も同様である。
【００２７】
また、ダイクロイックミラー３１２１を透過した赤色光と緑色光のうちで、緑色光は、ダイクロイックミラー３１２２によって反射し、フィールドレンズ３１１８を通って、緑色光用の光変調装置に到達する。一方、赤色光は、ダイクロイックミラー３１２２を透過してリレー光学系３１３を通り、さらにフィールドレンズ３１１８を通って、赤色光用の光変調装置に到達する。
なお、赤色光にリレー光学系３１３が用いられているのは、赤色光の光路の長さが他の色光の光路の長さよりも長いため、光の発散等による光の利用効率の低下を防止するためである。すなわち、入射側レンズ３１３１に入射した部分光束をそのまま、フィールドレンズ３１１８に伝えるためである。なお、リレー光学系３１３には、３つの色光のうちの赤色光を通す構成としたが、これに限らず、例えば、青色光または緑色光を通す構成としてもよい。
【００２８】
電気光学装置３１４は、入射された光束を画像情報に応じて変調してカラー画像を形成するものであり、色分離光学系３１２で分離された各色光が入射される３つの入射側偏光板３１４２と、各入射側偏光板３１４２の光路後段に配置される光変調素子としての３つの液晶パネル３１４１（赤色光用の液晶パネルを３１４１Ｒ、緑色光用の液晶パネルを３１４１Ｇ、青色光用の液晶パネルを３１４１Ｂとする）と、各液晶パネル３１４１の光路後段に配置される３つの射出側偏光板３１４３と、色合成光学装置としてのクロスダイクロイックプリズム３１４４とを備えて構成されている。そして、これら入射側偏光板３１４２、液晶パネル３１４１、射出側偏光板３１４３、およびクロスダイクロイックプリズム３１４４は、一体的にユニット化されている。
【００２９】
入射側偏光板３１４２は、偏光変換素子３１１４で偏光方向が略一方向に揃えられた各色光が入射され、入射された光束のうち、偏光変換素子３１１４で揃えられた光束の偏光軸と略同一方向の偏光光のみ透過させ、その他の光束を吸収するものである。この入射側偏光板３１４２は、例えば、サファイアガラスまたは水晶等の透光性基板上に偏光膜が貼付された構成を有している。
【００３０】
液晶パネル３１４１は、本発明の光変調装置に相当し、一対の透明ガラス基板に電気光学物質である液晶が密閉封入された構成を有し、後述する制御基板３２の映像出力部３２１６から出力される駆動信号に応じて、画像形成領域内にある液晶の配向状態が制御され、入射側偏光板３１４２から射出された偏光光束の偏光方向を変調する。
【００３１】
射出側偏光板３１４３は、入射側偏光板３１４２と略同様の構成であり、液晶パネル３１４１の画像形成領域から射出された光束のうち、入射側偏光板３１４２における光束の透過軸と直交する偏光軸を有する光束のみ透過させ、その他の光束を吸収するものである。
【００３２】
クロスダイクロイックプリズム３１４４は、射出側偏光板３１４３から射出された色光毎に変調された光学像を合成してカラー画像を形成する光学素子である。このクロスダイクロイックプリズム３１４４は、４つの直角プリズムを貼り合わせた平面視正方形状をなし、直角プリズム同士を貼り合わせた界面には、２つの誘電体多層膜が形成されている。これら誘電体多層膜は、液晶パネル３１４１Ｒ，３１４１Ｂから射出され射出側偏光板３１４３を介した各色光を反射し、液晶パネル３１４１Ｇから射出され射出側偏光板３１４３を介した色光を透過する。このようにして、各液晶パネル３１４１Ｒ，３１４１Ｇ，３１４１Ｂにて変調された各色光が合成され、カラー画像が形成される。
【００３３】
投射レンズ３１６は、鏡筒内に複数のレンズ、および、入射光束を偏向するミラーが収納された構成を有し、電気光学装置３１４から射出されたカラー画像を拡大して、反射ミラー（図示省略）に向けて、すなわち、正面に向かって射出されたカラー画像を上方向へと折り曲げて投射するものである。この投射レンズ３１６によって投射された画像としての光束は、反射ミラーを介して、スクリーンに投影される。なお、この投射レンズ３１６は、電気光学装置３１４の光束射出側に配置、固定されている。
【００３４】
光学部品用筐体３１７は、合成樹脂から構成され、上述した各光学系３１１〜３１３を収納保持するものである。この光学部品用筐体３１７は、具体的な図示は省略するが、各光学部品３１１２〜３１１５，３１１８，３１２１〜３１２３，３１３１〜３１３４を上方からスライド式に嵌め込む溝部が形成された断面視略Ｕ字状の部品収納部材と、当該部品収納部材の上部の開口を閉塞する蓋状部材とを備えて構成されている。
【００３５】
（2-2）制御基板３２の構成
制御基板３２は、ＣＰＵ（Central Processing Unit）、ＲＯＭ（Read Only Memory）およびＲＡＭ（Random Access Memory）等を備えた回路基板として構成され、前述のように、受像機本体３の装置全体を制御する。この制御基板３２は、図２に示すように、入力する放送信号に含まれる映像信号および音声信号を処理する信号処理系３２１と、制御基板３２の信号入出力制御および受像機本体３のシステム制御を行うシステム制御系３２２とを備えて構成されている。
【００３６】
信号処理系３２１は、チューナ３２１１、デマルチプレクサ３２１２、音声信号処理部３２１３、映像信号処理部３２１４、フレームメモリ３２１５、映像出力部３２１６および信号処理制御部３２１７とを備えている。
このうち、チューナ３２１１は、アンテナから入力する放送信号から、使用者が選択したチャンネルに応じた周波数の放送信号を選択して受信し、一定周波数の信号に変換して出力する。
デマルチプレクサ３２１２は、チューナ３２１１により変換された信号から、音声信号および映像信号を分離、抽出する。
音声信号処理部３２１３は、デマルチプレクサ３２１２で分離された音声信号を処理し、スピーカ３４を介して、当該音声信号に応じた音声を出力する。
【００３７】
映像信号処理部３２１４は、デマルチプレクサ３２１２で分離された映像信号を処理して、再生可能な１フレームごとの映像信号にデコードする。この映像信号は、フレームメモリ３２１５に書き込まれる。
フレームメモリ３２１５は、前述の光学ユニット３１を構成する各液晶パネル３１４１で形成される画像の１フレームに相当する情報を記憶する。
映像出力部３２１６は、フレームメモリ３２１５に書き込まれた表示画像の情報を、表示画像信号として液晶パネル３１４１に出力する。
信号処理制御部３２１７は、信号処理系３２１を構成する各処理部３２１１〜３２１６と電気的に接続され、これらに実行信号を出力して動作を制御する。この信号処理制御部３２１７は、システム制御系３２２の主制御部３２２１と接続されている。また、この信号処理制御部３２１７は、前述の光学ユニット３１の光源ランプ３１１６と電気的に接続されており、当該光源ランプ３１１６の発光輝度等の調整等を行う。
【００３８】
システム制御系３２２は、主制御部３２２１、プリンタ制御部３２２２、ドライブ制御部３２２３および電力供給制御部３２２４を備えて構成されている。
このうち、主制御部３２２１は、受像機本体３の内部制御を行うものであり、信号処理系３２１の信号処理制御部３２１７に対して制御信号を出力して、当該信号処理系３２１全体を制御するだけでなく、受像機本体３を構成する各処理部に制御信号を出力して、受像機本体３全体の駆動を制御する。また、この主制御部３２２１は、後述する外部インターフェース３３２，３３３に接続された外部機器の情報を取得して、当該外部機器がプリンタである場合は、プリンタが接続された外部インターフェースのポート番号をプリンタ制御部３２２２に出力して、プリンタ制御部３２２２に当該プリンタを制御させる。一方、外部機器が光学ドライブである場合には、当該光学ドライブが接続された外部インターフェースのポート番号をドライブ制御部３２２３に出力して、当該ドライブ制御部３２２３に光学ドライブを制御させる。すなわち、主制御部３２２１は、外部インターフェース３３２，３３３に接続された外部機器の種別に応じて、当該外部機器の制御の振り分けを行う。
【００３９】
図４は、プリンタ制御部３２２２の機能分類を示すブロック図である。
プリンタ制御部３２２２は、受像機本体３に接続された外部機器としてのプリンタの動作制御を行うものであり、本実施形態では、後述するインターフェース基板３３の外部インターフェース３３２に接続された外部機器としてのプリンタ５の動作制御を行う。
このプリンタ制御部３２２２は、図４に示すように、動作制御部３２２２Ａと、印刷情報出力部３２２２Ｂと、動作状態監視部３２２２Ｃとに機能的に分類される。
【００４０】
動作制御部３２２２Ａは、プリンタ５に対して、電源のオン／オフ状態を切り替える制御信号を出力するほか、印刷実行命令としての印刷開始信号を出力する。
印刷情報出力部３２２２Ｂは、印刷のための画像情報を出力する。この画像情報の出力形式としては、本実施形態では、１ページに対応する画像情報ごとにプリンタ５に送信する形式を採用しているが、プリンタ５が内部に大容量のバッファを備えている場合には、一度に全ての画像情報を出力する形式としてもよい。
動作状態監視部３２２２Ｃは、プリンタ５と通信して、当該プリンタ５の動作状態を監視する。具体的には、動作状態監視部３２２２Ｃは、プリンタ５のスタンバイ状態および印刷進捗状態を監視する。このプリンタ５のスタンバイ状態を動作状態監視部３２２２Ｃにより検出した後、印刷情報出力部３２２２Ｂは、印刷情報としての画像情報の出力を開始し、また、動作状態監視部３２２２Ｃが１ページずつの印刷完了を検出した後に、次の１ページ分の画像情報を出力する。
【００４１】
図５は、ドライブ制御部３２２３の機能分類を示すブロック図である。
ドライブ制御部３２２３は、後述するインターフェース基板３３の外部インターフェース３３３に接続された外部機器としての光学ドライブ６の動作制御を行うものである。このドライブ制御部３２２３は、図５に示すように、動作制御部３２２３Ａと、記録情報出力部３２２３Ｂと、記録情報検証部３２２３Ｃと、動作状態監視部３２２３Ｄとに機能的に分類される。
【００４２】
動作制御部３２２３Ａは、光学ドライブ６に対して、電源のオン／オフ状態を切り替える制御信号を出力するほか、光学ディスクへの記録開始信号を出力する。
記録情報出力部３２２３Ｂは、使用者が選択した画像ファイル等を含むイメージファイルを作成し、作成したイメージファイルを光学ドライブ６に出力する。この出力形式は、光学ドライブ６の記録速度と略一致する速度で出力される。また、作成したイメージファイルは、一時ファイルとして保持される。
記録情報検証部３２２３Ｃは、一時ファイルとして保持したイメージファイルの情報と、当該光学ドライブ６によって光学ディスクに記録された情報とが一致するかを検証する。具体的には、記録情報検証部３２２３Ｃは、光学ドライブ６に要求信号を出力して、当該光学ドライブ６により記録された情報を光学ディスクから読み込ませ、外部インターフェース３３３を介して、記録情報検証部３２２３Ｃに出力させる。そして、記録情報検証部３２２３Ｃは、入力した光学ディスクの記録情報と、イメージファイルの情報とが一致するかを検証する。これにより、光学ディスクに記録する際のデータの信頼性が向上する。
【００４３】
動作状態監視部３２２３Ｄは、光学ドライブ６の動作状態を監視する。具体的に、動作状態監視部３２２３Ｄは、光学ドライブ６のスタンバイ状態および記録進捗状態を監視する。この光学ドライブ６のスタンバイ状態を動作状態監視部３２２３Ｄが検出することにより、動作制御部３２２３Ａが記録開始信号を出力するとともに、記録情報出力部３２２３Ｂが、イメージファイルの出力を開始し、また、動作状態監視部３２２３Ｄが光学ディスクへの記録が終了したことを検出することにより、記録情報検証部３２２３Ｃによる記録情報の検証開始を行う。
【００４４】
電力供給制御部３２２４は、後述する電源ブロック３５の各電源部３５２〜３５６と電気的に接続され、受像機本体３のスタンバイ時の電力供給制御を行う。すなわち、電力供給制御部３２２４は、プリンタ５の印刷処理および光学ドライブ６の記録処理のうちいずれか一方の実行中に、リモートコントローラ４等の操作により、受像機本体３の電源がオフされた場合に、光学ユニット３１および信号処理系３２１への電力供給を停止した上で、実行中の外部機器（プリンタ５および光学ドライブ６）への電力供給を継続する制御を行う。なお、このような電力供給制御は、後に詳述する。
【００４５】
（2-3）インターフェース基板３３の構成
インターフェース基板３３は、制御基板３２のシステム制御系３２２と、外部機器とを接続し、当該外部機器から出力される情報および外部機器から入力する情報の信号変換を行うものである。このインターフェース基板３３は、図２に示すように、リモコンインターフェース（ＩＦ）３３１と、２つの外部インターフェース（ＩＦ）３３２，３３３とを備えている。
【００４６】
リモコンインターフェース３３１は、リモートコントローラ４からの赤外線信号を受信して、当該赤外線信号を制御基板３２上で処理できる信号形式に変換した後、システム制御系３２２の主制御部３２２１に出力する。当該変換された信号は、主制御部３２２１によって処理され、受像機本体３の駆動設定が変更される。
外部インターフェース３３２，３３３は、ＵＳＢ（Universal Serial Bus）端子を備えて構成されている。このうち、外部インターフェース３３２には、プリンタ５が接続されており、外部インターフェース３３３には、光学ドライブ６が接続されている。なお、これら外部インターフェース３３２，３３３のうち、外部インターフェース３３３にプリンタ５が、外部インターフェース３３２に光学ドライブ６が接続する場合があるが、このような場合でも、システム制御系３２２の主制御部３２２１によって、処理の振替が行われ、プリンタ５はプリンタ制御部３２２２によって、また、光学ドライブ６はドライブ制御部３２２３によって制御される。
【００４７】
（2-4）電源ブロック３５の構成
電源ブロック３５は、前述のように、受像機本体３を構成する電子部品に電力の供給を行うものである。この電源ブロック３５は、交直変換部３５１と、光学系用電源部３５２と、処理系用電源部３５３と、制御系用電源部３５４と、第１サービスコンセント（ＳＣ）用電源部３５５と、第２サービスコンセント（ＳＣ）用電源部３５６とを備えて構成されている。
【００４８】
交直変換部３５１は、外部電源から供給される商用交流電流を直流電流に変換するものであり、詳しい図示を省略するが、フィルタと、整流回路と、ＰＦＣ回路と、コンバータとを備えて構成されている。
このうち、フィルタは、商用交流電流からノイズを除去するものであり、特に高周波ノイズを除去する。
整流回路は、４つのダイオードを組み合わせたダイオードブリッジ等を有するブリッジ型回路として構成され、ノイズが取り除かれた交流電流を整流して直流電流に変換する。
ＰＦＣ回路は、直流に変換された電流の電圧を昇圧する。
コンバータは、ＰＦＣ回路を経て昇圧された電流の電圧を所定の電圧に変換する。
【００４９】
光学系用電源部３５２、処理系用電源部３５３、制御系用電源部３５４、第１サービスコンセント用電源部３５５および第２サービスコンセント用電源部３５６は、それぞれ、光学ユニット３１、制御基板３２の信号処理系３２１、システム制御系３２２、第１サービスコンセント３６および第２サービスコンセント３７に電力を供給する電源部である。
これらのうち、光学系用電源部３５２、処理系用電源部３５３および制御系用電源部３５４は、交直変換部３５１で直流変換された直流電流を、それぞれの供給先に応じた電圧に変換して出力する。
また、第１サービスコンセント用電源部３５５および第２サービスコンセント用電源部３５６には、交直変換部３５１を介さずに、外部電源から供給される商用交流電流が直接供給される。
【００５０】
ここで、システム制御系３２２および電源ブロック３５による電力供給制御を、具体的な事例とともに説明する。
受像機本体３の電源がオンされている状態で、第１および第２サービスコンセント３６，３７に接続されたプリンタ５および光学ドライブ６の動作が行われていない場合には、システム制御系３２２の電力供給制御部３２２４は、光学系用電源部３５２、処理系用電源部３５３および制御系用電源部３５４に制御信号を出力して、それぞれによる電力供給を実行させる。
また、受像機本体３の電源がオンされている状態で、プリンタ５および光学ドライブ６のうち少なくとも一方の動作が行われる場合には、電力供給制御部３２２４は、当該動作が行われる外部機器が接続されたサービスコンセントに電力を供給する第１サービスコンセント用電源部３５５および第２サービスコンセント用電源部３５６のうち少なくともいずれかに制御信号を出力して、当該サービスコンセント用電源部による電力供給を実行させる。
さらに、プリンタ５および光学ドライブ６のうち少なくとも一方の動作中に、受像機本体３の電源がオフされた場合には、電力供給制御部３２２４は、動作中の外部機器が接続されたサービスコンセントに電力を供給する第１サービスコンセント用電源部３５５および第２サービスコンセント用電源部３５６のうち少なくともいずれか一方と、制御系用電源部３５４とに制御信号を出力して電力供給を継続させ、当該外部機器での動作が終了するまで電力を供給する。
【００５１】
（３）プリンタ５の構成
図６は、プリンタ５の概略構成を示すブロック図である。
プリンタ５は、受像機本体３と通信接続され、当該受像機本体３から入力される制御信号および印刷情報に基づいて、印刷処理を実行するものである。このプリンタ５は、図６に示すように、外部インターフェース（ＩＦ）５１と、印刷部５２と、ＣＰＵ５３と、ＲＯＭ５４と、ＲＡＭ５５とを備えて構成されている。
このうち、外部インターフェース５１は、受像機本体３の外部インターフェース３３２と接続し、制御信号および印刷情報の入出力を行う。なお、この外部インターフェース５１は、受像機本体３の外部インターフェース３３２と同様に、ＵＳＢ端子とされている。
印刷部５２は、後述するＣＰＵ５３の制御下で、当該プリンタ５に入力する印刷情報に応じた画像を印刷する。
ＲＯＭ５４は、当該プリンタ５を制御するための制御プログラムや、各種制御データ等が予め記憶されている。
ＲＡＭ５５は、ＲＯＭ５４に記憶されたプログラムやデータがＣＰＵ５３で処理される際に、一時的に記憶される。また、ＲＡＭ５５は、外部インターフェース５１を介して受像機本体３から入力する印刷情報を、一時的に記憶する。
【００５２】
ＣＰＵ５３は、プリンタ５全体を制御するものであり、ＲＯＭ５４に記憶されたデータやプログラム、および、外部インターフェース５１を介して入力する印刷情報に基づいて印刷部５２を制御する。
このＣＰＵ５３は、機能的に、信号判定部５３１と、電源投入部５３２と、印刷画像情報生成部５３３と、信号生成部５３４とを備えて構成される。
【００５３】
信号判定部５３１は、外部インターフェース５１を介して受像機本体３から入力する制御信号を判定する。すなわち、信号判定部５３１は、入力した制御信号の内容を判定して、当該制御信号に応じた信号を生成してプリンタ５を構成する各装置に出力する。
電源投入部５３２は、信号判定部５３１に入力した制御信号が、電源オン信号であった場合に、プリンタ５の電源をオンさせ、電源オフ信号であった場合に、プリンタ５の電源をオフさせる。
印刷画像情報生成部５３３は、入力した印刷情報から、印刷部５２で印刷する画像情報を生成する。また、印刷画像の色合い等を変更する場合は、印刷画像情報生成部５３３で、画像情報の修正を行い、印刷部５２に出力する。
信号生成部５３４は、プリンタ５の駆動状態に係る状態信号を生成して、外部インターフェース５１を介して、受像機本体３に出力する。この信号生成部５３４で生成され、受像機本体３に出力された信号は、前述の受像機本体３のシステム制御系３２２を構成するプリンタ制御部３２２２で処理される。
【００５４】
（４）光学ドライブ６の構成
図７は、光学ドライブ６の概略構成を示すブロック図である。
光学ドライブ６は、受像機本体３と通信接続され、当該受像機本体３から入力する制御信号および記録情報に基づいて、光学ディスクに当該記録情報を記録するものである。この光学ドライブ６は、図７に示すように、外部インターフェース（ＩＦ）６１と、記録部６２と、ＣＰＵ６３と、ＲＯＭ６４と、ＲＡＭ６５とを備えて構成される。
このうち、外部インターフェース６１は、受像機本体３の外部インターフェース３３３と接続し、制御信号および記録情報の入出力を行う。なお、この外部インターフェース６１は、受像機本体３の外部インターフェース３３３と同様に、ＵＳＢ端子とされている。
記録部６２は、後述するＣＰＵ６３の制御下で、入力する記録情報を光学ディスクに記録するもので、レーザ光を発振する光学ヘッドや、光学ディスクを回転させるモータ等を備えている。
ＲＯＭ６４は、光学ドライブ６を制御するための制御プログラムや、各種制御データ等が予め記憶され、ＲＡＭ６５は、ＲＯＭ６４に記憶されたプログラムやデータがＣＰＵ６３で処理される際に、一時的に記憶される。また、このＲＡＭ６５は、入力する記録情報のバッファとしても機能する。
【００５５】
ＣＰＵ６３は、受像機本体３から入力する制御信号に応じて、光学ドライブ６全体を制御する。このＣＰＵ６３は、機能的に、信号判定部６３１と、電源投入部６３２と、記録情報処理部６３３と、信号生成部６３４とを備えている。
信号判定部６３１は、外部インターフェース６１を介して入力する制御信号を判定し、当該制御信号に応じた信号を、光学ドライブ６を構成する各装置に出力する。
電源投入部６３２は、信号判定部６３１に入力した制御信号が、電源オン／オフ信号であった場合に、光学ドライブ６の電源をオン／オフとする。
記録情報処理部６３３は、記録部６２を駆動制御して、当該記録部６２により、入力する記録情報を光学ディスクに記録させる。
信号生成部６３４は、当該光学ドライブ６の駆動状態に係る状態信号を生成して、外部インターフェース５１を介して、受像機本体３に出力する。この信号生成部６３４で生成され、受像機本体３に出力された信号は、前述の受像機本体３のシステム制御系３２２を構成するドライブ制御部３２２３で処理される。
【００５６】
（５）受像機本体３の作用
図８は、テレビ受像機２の受像機本体３で行われる処理のフローを示す図である。
受像機本体３では、当該受像機本体３の電源投入状態に応じた電力供給制御を行っている。この電力供給制御は、受像機本体３の制御基板３２を構成するシステム制御系３２２の電力供給制御部３２２４および電源ブロック３５によって行われる。以下に、この電力供給制御について説明する。
【００５７】
まず、受像機本体３の電源が、リモートコントローラ４等によってオンされる（処理Ｓ１）と、制御基板３２を構成するシステム制御系３２２の電力供給制御部３２２４が、電源ブロック３５の光学系用電源部３５２、処理系用電源部３５３および制御系用電源部３５４に制御信号を出力して、これら電源部３５２〜３５４による電力供給を開始する（処理Ｓ２）。これにより、受像機本体３による画像表示が可能となり、制御基板３２の制御下で、光学ユニット３１等が駆動して、画像表示が行われる（処理Ｓ３）。
【００５８】
処理Ｓ３における画像表示においては、受像機本体３に入力する放送信号に含まれる画像情報や、他の接続機器から入力する画像情報に基づく画像表示のほかに、信号処理系３２１の映像信号処理部３２１４によって生成されるＯＳＤ（On Screen Display）メニュー画像が、使用者の操作によって表示される（処理Ｓ４）。このＯＳＤメニュー画像では、現在表示が行われている画面の印刷、記録およびその他の処理が選択可能とされている。
この処理Ｓ４によるＯＳＤメニュー画像の表示が行われた後、システム制御系３２２の主制御部３２２１は、使用者の操作によるコマンド（信号）入力の待機状態となり（処理Ｓ５）、入力があった場合にコマンドの内容を判定する（処理Ｓ６）。
ここで、印刷でも記録でもない他のコマンドが入力された場合には、当該コマンドに応じた処理を実行し（処理ＳＣ）、本処理を終了する。
【００５９】
一方、印刷が選択された場合には、主制御部３２２１は、外部インターフェース３３２，３３３の少なくともいずれかにプリンタ５が接続されているか否かを判定する（処理Ｓ７）。
ここで、プリンタ５が接続されていないと判定された場合には、受像機本体３にプリンタ５が接続されていない旨を示すメッセージを表示（処理Ｓ８）して、本処理を終了する。この場合、再度、ＯＳＤメニューの表示が行われた場合には、処理Ｓ５から本処理が実行されることとなる。
一方、プリンタ５が接続されていると判定された場合には、当該プリンタ５が接続された外部インターフェースおよびサービスコンセントが検出され、現在表示されている画像の印刷処理（ＳＡ）が実行される。
【００６０】
図９および図１０は、印刷処理ＳＡの処理フローを示す図である。
印刷処理ＳＡは、受像機本体３とプリンタ５とが通信することによって、互いに同期を取りながら実行される。
この印刷処理ＳＡでは、図９に示すように、まず、受像機本体３のシステム制御系３２２を構成する主制御部３２２１が、電力供給制御部３２２４に、プリンタ５が接続された外部インターフェースとサービスコンセントの情報とともに制御信号を出力し、当該電力供給制御部３２２４が、プリンタ５が接続されたサービスコンセントへの電力供給を行うサービスコンセント用電源部に、電力供給を開始する制御信号を出力する。すなわち、本実施形態では、電力供給制御部３２２４は、第１サービスコンセント３６に電力を供給する第１サービスコンセント用電源部３５５に対して制御信号を出力し、当該制御信号が入力した第１サービスコンセント３５５は、第１サービスコンセント３６への電力供給を開始する（処理ＳＡ１１）。これにより、第１サービスコンセント３６への電力供給が開始され、当該第１サービスコンセント３６に接続されたプリンタ５への電力供給が開始される（処理ＳＡ１２）。
【００６１】
処理ＳＡ１２の後、受像機本体３のプリンタ制御部３２２２の動作制御部３２２２Ａは、通電状態となったプリンタ５に対して、電源オン信号を出力する（処理ＳＡ１３）。これに対し、プリンタ５のＣＰＵ５３では、入力した信号が電源オン信号であることが信号判定部５３１により判定されると、電源投入部５３２により、当該プリンタ５の電源をオンする（処理ＳＡ３１）。
この後、プリンタ制御部３２２２の動作状態監視部３２２２Ｃは、プリンタ５の状態監視を開始しつつ（処理ＳＡ１４）、使用者により選択された画像の印刷を開始する印刷開始信号を、動作制御部３２２２Ａがプリンタ５に出力する（処理ＳＡ１５）。この印刷開始信号が入力したプリンタ５は、当該印刷開始信号に続いて入力する印刷情報の入力を待機する（処理ＳＡ３２）。
【００６２】
プリンタ制御部３２２２の動作制御部３２２２Ａの処理ＳＡ１５による印刷開始信号の出力の後、当該プリンタ制御部３２２２の印刷情報出力部３２２２Ｂは、使用者により選択された画像の画像情報を印刷情報としてプリンタ５に出力する（処理ＳＡ１６）。
なお、この処理ＳＡ１６の後、印刷情報出力部３２２２Ｂは、現在出力中の印刷情報が、使用者により選択された画像のうち、最後の画像に係る情報であるか否かを判定する（処理ＳＡ１７）。
ここで、最後の画像に係る情報でないと判定した場合には、印刷情報出力部３２２２Ｂは、再び処理ＳＡ１６に戻り、次の画像に係る情報の出力を行う。すなわち、この印刷情報の出力は、使用者により複数の画像の印刷処理が選択された場合に、当該画像の分だけ実行される。
一方、最後の画像に係る情報であると判定した場合には、プリンタ制御部３２２２の動作制御部３２２２Ａは、プリンタ５からの印刷終了信号が入力するのを待機する（処理ＳＡ１８）。
なお、本実施形態では、プリンタ５に対して、印刷する画像の情報ごと、すなわち、１枚に印刷される画像情報ごとに、当該画像情報に係る印刷情報を出力する形式としているが、連続して印刷情報を出力できる場合には、処理ＳＡ１６にて全ての印刷情報を一括で出力した後、処理ＳＡ１８に移行するようにしてもよい。
【００６３】
処理ＳＡ１６により印刷情報が入力したプリンタ５では、ＣＰＵ５３の印刷画像情報生成部５３３が、入力する印刷情報に応じた印刷画像を生成して、印刷部５２に出力する。そして、この印刷画像が入力した印刷部５２は、当該印刷画像に応じた画像を紙等に印刷する（処理ＳＡ３３）。この処理ＳＡ３３の後、ＣＰＵ５３は、当該印刷した印刷情報が、最後の印刷情報であるか否か、また、最後の印刷情報である場合には、印刷部５２による印刷が終了したか否かを判定する（処理ＳＡ３４）。
【００６４】
ここで、最後の印刷情報ではないと判定した場合には、処理ＳＡ３３に戻り、再び入力する印刷情報に応じた印刷を実行する。
一方、最後の印刷情報であり、また、当該最後の印刷情報に係る印刷が終了したと判定した場合には、ＣＰＵ５３の信号生成部５３４は、受像機本体３に対して、印刷終了信号を出力する（処理ＳＡ３５）。
【００６５】
ここで、前述の処理ＳＡ１６から処理ＳＡ１７が実行されている場合に、受像機本体３の電源が使用者によりオフされた場合について説明する。
処理ＳＡ１６の後、使用者により受像機本体３の電源がオフされる（処理ＳＸ１）と、当該受像機本体３のシステム制御系３２２の電力供給制御部３２２４は、画像表示系の電源をオフしてスタンバイ状態とする。この画像表示系とは、光学ユニット３１、制御基板３２の信号処理系３２１を指しており、このスタンバイ状態では、光学ユニット３１に電力を供給する光学系用電源部３５２、および、信号処理系３２１に電力を供給する処理系用電源部３５３に対する電力供給が、電力供給制御部３２２４により規制される（処理ＳＸ２）。この際、制御系用電源部３５４からのシステム制御系３２２への電力供給、および、第１サービスコンセント用電源部３５５からの第１サービスコンセント３６に対する電力供給は継続される。これにより、システム制御系３２２による印刷制御、および、第１サービスコンセント３６に接続されたプリンタ５による印刷処理を継続して行うことができる。
【００６６】
前述のように、使用者により選択された最後の画像に係る印刷情報が出力された後、受像機本体３のプリンタ制御部３２２２の動作状態監視部３２２２Ｃは、プリンタ５からの印刷終了信号の入力待機状態となり（処理ＳＡ１８）、当該信号が入力されたか否かの判定を行う（処理ＳＡ１９）。
ここで、印刷終了信号が入力していないと判定した場合には、プリンタ制御部３２２２の動作状態監視部３２２２Ｃは、再び処理ＳＡ１８に戻り、当該信号の入力待機を継続する。
一方、印刷終了信号が入力したと判定した場合には、プリンタ制御部３２２２の動作制御部３２２２Ａは、図１０に示すように、プリンタ５に対して、当該プリンタ５の電源をオフする電源オフ信号を出力する（処理ＳＡ２０）。この後、プリンタ制御部３２２２は、電源オフ信号に対するオフ状態信号がプリンタ５から入力するのを待機する（処理ＳＡ２１）。
【００６７】
電源オフ信号が入力したプリンタ５は、ＣＰＵ５３の信号判定部５３１で当該信号が判定された後、電源投入部５３２により、当該プリンタ５の電源をオフする（処理ＳＡ３６）。これにより、後の処理でプリンタ５の電力供給が停止される場合でも、安全にプリンタ５の電力供給を停止することが可能となる。
すなわち、プリンタ５の電力供給が停止される際には、印刷部５２を構成するプリンタヘッドを安全位置に退避させる必要がある。このため、このような電源オフ処理を処理ＳＡ３６で行うことにより、プリンタヘッドを安全位置に退避させることができ、安全にプリンタ５への電力供給を停止することができる。
この処理ＳＡ３６による電源オフ処理の後、ＣＰＵ５３の信号生成部５３４は、受像機本体３に対し、プリンタ５の電源がオフ状態となった旨を示すオフ状態信号を出力する（処理ＳＡ３７）。
【００６８】
処理ＳＡ２１にて、オフ状態信号の入力待機状態とされているプリンタ制御部３２２２の動作状態監視部３２２２Ｃでは、当該信号が入力したか否かの判定を行う（処理ＳＡ２２）。
ここで、オフ状態信号入力がなかったと判定した場合には、動作状態監視部３２２２Ｃは、処理ＳＡ２１に戻り、オフ状態信号の入力待機を継続する。
一方、オフ状態信号入力があったと判定した場合には、プリンタ制御部３２２２は、電力供給制御部３２２４を介して、プリンタ５が接続された第１サービスコンセント３６への電力供給を停止して（処理ＳＡ２３）、プリンタ５への電力供給を停止する（処理ＳＡ２４）。
具体的に、処理ＳＡ２３では、電力供給制御部３２２４が電源ブロック３５の第１サービスコンセント用電源部３５５に制御信号を出力し、当該信号が入力した第１サービスコンセント用電源部３５５は、第１サービスコンセント３６への電力供給を停止する。これにより、第１サービスコンセント３６への電力供給が停止することにより、プリンタ５への電力供給が停止する。
以上のような処理により、印刷処理ＳＡが終了する。
【００６９】
ところで、図８に示すように、処理Ｓ６で、画像の記録が選択された場合には、システム制御系３２２の主制御部３２２１は、外部インターフェース３３２，３３３の少なくともいずれか、および、サービスコンセント３６，３７の少なくともいずれかに外部記憶装置（本実施形態では光学ドライブ６）が接続されているか否かを判定する（処理Ｓ９）。
ここで、光学ドライブ６が接続されていないと判定した場合には、画像を記録する外部記録装置が接続されていない旨のメッセージを表示して（処理Ｓ８）、本処理を終了する。この場合、前述のように、再度、ＯＳＤメニューの表示が行われた場合には、処理Ｓ５から本処理が実行されることとなる。
一方、光学ドライブ６が接続されていると判定した場合には、ドライブ制御部３２２３は、選択された画像の記録処理を実行する（処理ＳＢ）。
【００７０】
図１１および図１２は、記録処理ＳＢの処理フローを示す図である。
記録処理ＳＢは、印刷処理ＳＡと同様に、受像機本体３と光学ドライブ６とが通信することによって、互いに同期を取りながら実行される。
この記録処理ＳＢでは、図１１に示すように、まず、受像機本体３を構成するシステム制御系３２２の主制御部３２２１が、電力供給制御部３２２４を介して、光学ドライブ６が接続された第２サービスコンセント３７への電力供給を開始することによって行われる（処理ＳＢ１１）。この処理ＳＢ１１では、電力供給制御部３２２４が、電源ブロック３５の光学系用電源部３５２、処理系用電源部３５３および制御系用電源部３５４のほかに、新たに、第２サービスコンセント用電源部３５６に対して制御信号を出力し、これらによる電力供給を開始する。これにより、光学ドライブ６への電力供給が開始される（処理ＳＢ１２）。
【００７１】
この処理ＳＢ１２の後、主制御部３２２１は、ドライブ制御部３２２３に制御信号を出力し、ドライブ制御部３２２３から光学ドライブ６の制御を実行する。そして、このドライブ制御部３２２３の動作制御部３２２３Ａは、光学ドライブ６に対して、当該光学ドライブ６の電源をオンさせる旨の電源オン信号を出力する（処理ＳＢ１３）。
この電源オン信号が入力した光学ドライブ６は、ＣＰＵ６３の信号判定部６３１にて当該信号の判定を行った後、電源投入部６３２により、光学ドライブ６の電源をオンさせる（処理ＳＢ３１）。
【００７２】
この後、ドライブ制御部３２２３の動作状態監視部３２２３Ｄは、光学ドライブ６の状態監視を開始する（処理ＳＢ１４）とともに、光学ドライブ６に対して、画像の記録を開始する旨の記録開始信号を出力する（処理ＳＢ１５）。
この記録開始信号が入力した光学ドライブ６は、この記録開始信号の後に入力する記録情報であるイメージファイルの入力待機状態となる（処理ＳＢ３２）。
【００７３】
記録開始信号を出力したドライブ制御部３２２３は、記録情報出力部３２２３Ｂにより、使用者により選択された画像の記録情報であるイメージファイルを生成して、光学ドライブ６に出力し（処理ＳＢ１６）、動作状態監視部３２２３Ｄは、光学ドライブ６による記録が終了した旨を示す記録終了信号の入力を待機する（処理ＳＢ１７）。
一方、イメージファイルの入力待機状態にあった光学ドライブ６は、入力するイメージファイルを記録情報処理部６３３が処理して、記録部６２により光学ディスクに記録する（処理ＳＢ３３）。
この後、光学ドライブ６では、記録の終了判定が行われ（処理ＳＢ３４）、記録が終了していない場合は、処理ＳＢ３３による記録処理が続行され、終了している場合には、信号生成部６３４により、受像機本体３に対して記録終了信号を出力する（処理ＳＢ３５）。
【００７４】
ここで、光学ドライブ６による記録処理の途中で、受像機本体３の電源がオフされた場合（処理ＳＸ１）、受像機本体３の電力供給制御部３２２４は、前述の処理ＳＸ１と同様に、画像表示系である光学系用電源部３５２、処理系用電源部３５３に制御信号を出力して、これら電源部３５２，３５３による電力供給を停止して、画像形成を停止させる一方で、制御系用電源部３５４および第２サービスコンセント用電源部３５６による電力供給を継続させる（処理ＳＸ２）。これにより、受像機本体３の電源がオフされても、光学ドライブ６への電力供給が規制されないので、当該光学ドライブ６による記録処理を続行することが可能となる。
【００７５】
処理ＳＢ１７にて、記録終了信号の入力待機状態にあったドライブ制御部３２２３の動作状態監視部３２２３Ｄは、光学ドライブ６から当該信号が入力したか否かを判定する（処理ＳＢ１８）。
ここで、記録終了信号が入力していないと判定した場合には、処理ＳＢ１７に戻って、当該信号入力待機状態を継続する。
一方、記録終了信号が入力したと判定した場合には、図１２に示すように、動作制御部３２２３Ａが、光学ドライブ６により光学ディスクに記録された情報の要求信号を出力し（処理ＳＢ１９）、当該信号が入力した光学ドライブ６は、記録した情報を光学ディスクから読み込んで、受像機本体３に出力する（処理ＳＢ３６）。
この記録情報が入力したドライブ制御部３２２３の記録情報検証部３２２３Ｃは、入力した記録情報が、処理ＳＢ１６で生成出力したイメージファイルの情報と一致するか否かを検証する（処理ＳＢ２０）。
【００７６】
処理ＳＢ２０の後、ドライブ制御部３２２３の動作制御部３２２３Ａは、光学ドライブ６に対して、当該光学ドライブ６の電源をオフさせる電源オフ信号を出力し（処理ＳＢ２１）、動作状態監視部３２２３Ｄは、光学ドライブ６の電源がオフされ、電力供給の停止が可能となった旨の信号であるオフ状態信号の入力を待機する（処理ＳＢ２２）。
これに対し、当該信号が入力した光学ドライブ６の電源投入部６３２は、光学ドライブ６の電源をオフ（処理ＳＢ３７）し、光学ドライブ６の記録部を構成する光学ヘッド等の安全を確認した後、信号生成部６３４から受像機本体３にオフ状態信号を出力する（処理ＳＢ３８）。
【００７７】
処理ＳＢ２２で、オフ状態信号の入力待機状態にあるドライブ制御部３２２３の動作状態監視部３２２３Ｄは、当該信号の入力があったか否かを判定し（処理ＳＢ２３）、信号入力がなかったと判定した場合には、処理ＳＢ２２に戻って、待機状態を継続する。
一方、オフ状態信号の入力があったと判定した場合には、電力供給制御部３２２４および第２サービスコンセント用電源部３５６により、第２サービスコンセント３７への電力供給を停止して（処理ＳＢ２４）、光学ドライブ６への電力供給を停止する（処理ＳＢ２５）。このような処理により、記録処理ＳＢが終了する。
【００７８】
以上説明した本実施形態のテレビ受像機２によれば、以下のような効果を奏することができる。
すなわち、受像機本体３を構成する制御基板３２のシステム制御系３２２が、当該受像機本体３に設けられた第１，第２サービスコンセント３６，３７、および、外部インターフェース３３２，３３３に接続されたプリンタ５および光学ドライブ６の動作制御を行い、システム制御系３２２を構成するプリンタ制御部３２２２およびドライブ制御部３２２３の動作状態監視部３２２２Ｃ，３２２３Ｃが、プリンタ５および光学ドライブ６の動作状態を監視する。
また、電力供給制御部３２２４は、プリンタ制御部３２２２およびドライブ制御部３２２３の動作状態監視部３２２２Ｃ，３２２３Ｄに、プリンタ５および光学ドライブ６の信号生成部５３４，６３４からオフ状態信号が入力すると、受像機本体３の電源がオン状態でもオフ状態でも、プリンタ５および光学ドライブ６に対する電力供給を停止する。
これによれば、印刷処理ＳＡおよび記録処理ＳＢが終了した後に、プリンタ５および光学ドライブ６に対する電力供給が規制されるので、これらプリンタ５および光学ドライブ６による不要な電力消費を抑制することができる。また、このような電力供給規制は、受像機本体３の電源がオフ状態であっても行われるので、プリンタ５による印刷処理、および、光学ドライブ６による記録処理が終了するまで、これらプリンタ５および光学ドライブ６に、確実に電力供給を行うことができる。
【００７９】
（６）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００８０】
前記実施形態では、外部機器として、プリンタ５および光学ドライブ６を採用したが、本発明はこれに限らない。すなわち、外部機器は、受像機本体３と通信接続可能であり、受像機本体３から電力供給を受ける構成の機器であれば、種類は問わない。なお、プリンタ５および光学ドライブ６のように、当該機器での処理に時間がかかるような機器を採用すれば、受像機本体３の電源がオフされても処理は続行されるので、顕著な効果を奏することができる。
【００８１】
前記実施形態では、外部インターフェース３３２および第１サービスコンセント３６にプリンタ５を、また、外部インターフェース３３３および第２サービスコンセント３７に光学ドライブ６を接続したが、本発明はこの形態に限定されるものではない。すなわち、プリンタ５および光学ドライブ６等の外部機器を接続する場合、外部インターフェース３３２，３３３と、第１，第２サービスコンセント３６，３７との組み合わせは、適宜変更してよい。
【００８２】
前記実施形態では、受像機本体３のシステム制御系３２２の主制御部３２２１が、外部インターフェース３３２，３３３および第１，第２サービスコンセント３６，３７に接続されたプリンタ５および光学ドライブ６を検出して、プリンタ５をプリンタ制御部３２２２により、また、光学ドライブ６をドライブ制御部３２２３により制御するように振り分けるとしたが、本発明はこれに限らない。すなわち、受像機本体３が、接続される外部機器の種類に応じて、当該外部機器専用の外部インターフェースおよびサービスコンセントをそれぞれ有する構成としてもよい。このような場合、それぞれの外部インターフェースと、接続された機器の動作制御を行う制御部とを直接繋ぐように、インターフェース基板３３およびシステム制御系３２２を構成してもよい。
【００８３】
前記実施形態では、３つの光変調装置を用いたプロジェクションテレビを採用したが、これに限らず、例えば、１つの光変調装置のみを用いたプロジェクションテレビ、２つの光変調装置を用いたプロジェクションテレビ、または４つ以上の光変調装置を用いたプロジェクションテレビとしてもよい。また、光変調装置として液晶パネルを採用したが、これに限らず、マイクロミラーを用いたデバイス等の液晶以外の光変調装置を採用してもよい。さらに、透過型の光変調装置ではなく、反射型の光変調装置を用いてもよい。
加えて、前記実施形態では、光学ユニット３１が平面視略Ｌ字形状を有した構成を説明したが、これに限らず、例えば、平面視略Ｕ字形状を有した構成を採用してもよい。
【００８４】
前記実施形態では、画像表示装置として、プロジェクションテレビであるテレビ受像機２を採用したが、本発明はこれに限らない。また、画像表示装置は、テレビ受像機である必要はない。すなわち、本発明における画像表示装置は、プラズマディスプレイや、液晶ディスプレイであってもよく、また、ＣＲＴ（Cathode Ray Tube）ディスプレイやプロジェクタでもよい。
【産業上の利用可能性】
【００８５】
本発明は、テレビ受像機に利用できる他、外部機器と通信接続され、当該外部機器に電力を供給するコンセントを備えた画像表示装置に好適に利用することができる。
【図面の簡単な説明】
【００８６】
【図１】本発明の一実施形態に係るテレビ受像システムの構成を示す模式図。
【図２】前記実施形態における受像機本体の内部構成を示すブロック図。
【図３】前記実施形態における光学ユニットの光学系を示す模式図。
【図４】前記実施形態におけるプリンタ制御部の機能分類を示すブロック図。
【図５】前記実施形態におけるドライブ制御部の機能分類を示すブロック図。
【図６】前記実施形態におけるプリンタの概略構成を示すブロック図。
【図７】前記実施形態における光学ドライブの概略構成を示すブロック図。
【図８】前記実施形態における受像機本体の処理フローを示す図。
【図９】前記実施形態における印刷処理の処理フローを示す図。
【図１０】前記実施形態における印刷処理の処理フローを示す図。
【図１１】前記実施形態における記録処理の処理フローを示す図。
【図１２】前記実施形態における記録処理の処理フローを示す図。
【符号の説明】
【００８７】
１…テレビ受像システム（画像表示システム）、２…テレビ受像機（画像表示装置）、５…プリンタ（印刷装置、外部機器）、６…光学ドライブ（外部装置）、３６…第１サービスコンセント、３７…第２サービスコンセント、３３２，３３３…外部インターフェース、３２２２Ａ，３２２３Ａ…動作制御部、３２２２Ｃ，３２２３Ｃ…動作状態監視部、３２２４…電力供給制御部（外部電力供給制御部）、ＳＡ１４，ＳＢ１４…処理（動作状態監視ステップ）、ＳＡ２４，ＳＢ２５…処理（外部電力供給制御ステップ）。
【図１】
2006227700.tif 000003
【図２】
2006227700.tif 000004
【図３】
2006227700.tif 000005
【図４】
2006227700.tif 000006
【図５】
2006227700.tif 000007
【図６】
2006227700.tif 000008
【図７】
2006227700.tif 000009
【図８】
2006227700.tif 000010
【図９】
2006227700.tif 000011
【図１０】
2006227700.tif 000012
【図１１】
2006227700.tif 000013
【図１２】
2006227700.tif 000014